(57)【要約】    【課題】  簡易な構成によって、室内において冷暖房機器使用時に発生する室内の温度差の解消と、省エネルギーを実現できる扇風機取付け式空気循環用具を提供すること。    【解決手段】  扇風機取付け式空気循環用具１は、扇風機からの送風（気流Ｖ）を通すための取付け側開口部２が設けられて取付け側開口部２により通された送風（気流Ｖ）を受け止める受風本体３に、ここで受け止められて方向が変わった気流Ｗを吹き出すための排気用開口部４が設けられ、受風本体３にはこれを扇風機に取り付けるための取付け部５が設けられた構成とする。【選択図】  図１Ｆ
2008057522.tif 000002
【特許請求の範囲】
【請求項１】
扇風機の送風部に取り付けて用いる室内空気を循環させるための用具であって、該用具は扇風機から送風される空気を通すための取付け側開口部と、通された該空気を吹き出すための一または複数の排気用開口部とを備えたカバー状の本体に、該本体を扇風機に取り付けるための取付け部が設けられており、該排気用開口部の断面積は該取付け側開口部の断面積よりも小さく形成されていることを特徴とする、扇風機取付け式空気循環用具。
【請求項２】
前記排気用開口部の開口面と前記取付け側開口部の開口面はその軸方向が異なることを特徴とする、請求項１に記載の扇風機取付け式空気循環用具。
【請求項３】
前記本体は、前記取付け側開口部により通された扇風機から送風される空気を受け止め、これにより方向が変わった気流が前記排気用開口部から吹き出されることを特徴とする、請求項２に記載の扇風機取付け式空気循環用具。
【請求項４】
前記取付け側開口部は扇風機前面全体を覆い得る大きさで形成されていることを特徴とする、請求項２または３に記載の扇風機取付け式空気循環用具。
【請求項５】
前記排気用開口部は取付け側開口部に対して傾斜をなして形成されていることを特徴とする、請求項２ないし４のいずれかに記載の扇風機取付け式空気循環用具。
【請求項６】
前記本体の取付け側端部全体が枠体として前記取付け側開口部となっており、前記排気用開口部は単一であってその一部が該枠体と接した状態で形成されていることを特徴とする、請求項２ないし５のいずれかに記載の扇風機取付け式空気循環用具。
【請求項７】
前記排気用開口部の開口面と前記取付け側開口部の開口面はその軸方向が同じであることを特徴とする、請求項１に記載の扇風機取付け式空気循環用具。
【請求項８】
前記排気用開口部の開口面と前記取付け側開口部の開口面はその重心における軸が同一となるように形成されていることを特徴とする、請求項７に記載の扇風機取付け式空気循環用具。
【請求項９】
前記取付け部は、扇風機羽根カバーに対して固定可能な取付け具であることを特徴とする、請求項１ないし８のいずれかに記載の扇風機取付け式空気循環用具。
【請求項１０】
前記取付け部は、扇風機羽根カバーを被覆可能な取付けカバーであることを特徴とする、請求項１ないし８のいずれかに記載の扇風機取付け式空気循環用具。
【発明の詳細な説明】
【技術分野】
【０００１】
本発明は扇風機取付け式空気循環用具に係り、特に簡易な構造によって、家庭その他室内において冷暖房機器使用時に発生する室内の温度差の解消と、省エネルギーを実現することのできる扇風機取付け式空気循環用具に関する。
【背景技術】
【０００２】
室内で冷暖房機器を使用する際、床面付近の空気層と天井付近の空気層に温度差が発生し、かかる温度差は外気温、天井の高さ、室内の広さなどの要因によって差はあるとはいえ、一般の家庭においては約１０〜１３℃程度もの大きな温度差、あるいはそれ以上の温度差となる場合も決して珍しくないのが現状である。
【０００３】
また、冷暖房機器設置場所の周辺と離れた位置との間に発生する温度差も同様であり、ある場所では快適であっても他の場所では相当不快な環境を作り出してしまうという状況も発生する。
【０００４】
たとえば冬季の暖房機使用時では、室内上層部の暖気と下層部の冷気の温度差により、身体の上半身は適温であっても足元など下半身が冷えるという問題があり、それを解決するため、サーキュレーターや天井ファン、あるいは竜巻様の気流を発生させるサーキュレーター（特許文献１）を別途設置して室内の空気を撹拌することが、従来なされている。
【０００５】
【特許文献１】アメリカ合衆国特許第４９２７３２４号「ＤＵＣＴＥＤ  ＦＡＮ」（ダクト付きファン）
【発明の開示】
【発明が解決しようとする課題】
【０００６】
しかし、暖房機使用時において、サーキュレーターや天井ファンによって比重の軽い暖気を床面に降ろすことは非常に難しく、結局天井ファンの風力を強くしたり、暖房機の設定温度を上げたりするといった対策を取らざるを得ない。そしてそのようにしても暖気が降下するのは、ファン直下もしくはわずかな周辺に限られ、室内全体に亘って温度差を解消するには到底至らない。また、設定温度を上げることは、灯油、電気、ガス等の浪費となり、省エネルギー時代のニーズに逆行することとなっていた。
【０００７】
また夏季の冷房機使用時は、室内全体を冷やすためには温度設定を相当強くしなくてはならず、その場合、吹き出し口直下の人にとっては冷えすぎるという不快な環境状態が生じるばかりでなく、冬季の暖房機使用時と同様にエネルギーを浪費することとなっていた。また特許文献１の装置でも、独立した一台の装置として備えなくてはならず、不便である。つまり、従来の方法では室内の温度差問題を簡易に解決することは難しく、またエネルギーの浪費抑制も困難であった。
【０００８】
本発明が解決しようとする課題は、上記従来技術の問題点を除き、簡易な構成によって、家庭その他室内において冷暖房機器使用時に発生する室内の温度差の解消と、省エネルギーを実現することのできる扇風機取付け式空気循環用具を提供することである。
【課題を解決するための手段】
【０００９】
本願発明者は上記課題について検討した結果、各家庭を始め広く普及している扇風機に取り付ける簡易な構造のカバー形の用具を発明し、これによって上記課題の解決が可能であることを見出した。すなわち、上記課題を解決するための手段として本願で特許請求される発明、もしくは少なくとも開示される発明は、以下の通りである。
【００１０】
（１）  扇風機の送風部に取り付けて用いる室内空気を循環させるための用具であって、該用具は扇風機から送風される空気を通すための取付け側開口部と、通された該空気を吹き出すための一または複数の排気用開口部とを備えたカバー状の本体に、該本体を扇風機に取り付けるための取付け部が設けられており、該排気用開口部の断面積は該取付け側開口部の断面積よりも小さく形成されていることを特徴とする、扇風機取付け式空気循環用具。
（２）  前記排気用開口部の開口面と前記取付け側開口部の開口面はその軸方向が異なることを特徴とする（１）に記載の扇風機取付け式空気循環用具。
（３）  前記本体は、前記取付け側開口部により通された扇風機から送風される空気を受け止め、これにより方向が変わった気流が前記排気用開口部から吹き出されることを特徴とする、（２）に記載の扇風機取付け式空気循環用具。
（４）  前記取付け側開口部は扇風機前面全体を覆い得る大きさで形成されていることを特徴とする、（２）または（３）に記載の扇風機取付け式空気循環用具。
（５）  前記排気用開口部は取付け側開口部に対して傾斜をなして形成されていることを特徴とする、（２）ないし（４）のいずれかに記載の扇風機取付け式空気循環用具。
（６）  前記本体の取付け側端部全体が枠体として前記取付け側開口部となっており、前記排気用開口部は単一であってその一部が該枠体と接した状態で形成されていることを特徴とする、（２）ないし（５）のいずれかに記載の扇風機取付け式空気循環用具。
（７）  前記排気用開口部の開口面と前記取付け側開口部の開口面はその軸方向が同じであることを特徴とする、（１）に記載の扇風機取付け式空気循環用具。
（８）  前記排気用開口部の開口面と前記取付け側開口部の開口面はその重心における軸が同軸上つまり同一となるように形成されていることを特徴とする、（７）に記載の扇風機取付け式空気循環用具。
（９）  前記取付け部は、扇風機羽根カバーに対して固定可能な取付け具であることを特徴とする、（１）ないし（８）のいずれかに記載の扇風機取付け式空気循環用具。
（１０）  前記取付け部は、扇風機羽根カバーを被覆可能な取付けカバーであることを特徴とする、（１）ないし（８）のいずれかに記載の扇風機取付け式空気循環用具。
【発明の効果】
【００１１】
本発明の扇風機取付け式空気循環用具は上述のように構成されるため、これによれば、簡易な構成によって、家庭その他室内において冷暖房機器使用時に発生する室内の温度差の解消と、省エネルギーを容易に実現することができる。特に本発明の扇風機取付け式空気循環用具は、従来ほとんどの家庭で所有されているほど一般に広く普及している扇風機を利用して、これに簡単に装着して使用できるものであり、特許文献１の技術等と比較して安価に、かつ簡便に室内空気循環効果を得ることができる。
【００１２】
また、夏季、冬季、年間を通じて冷暖房機器使用時の室内温度の均一化を図ることができる。具体的には、どの家庭や事業所においても、約４〜６℃程度以上の温度差解消が可能となり、エネルギー節約効果は甚だ大きい。したがって一家庭あるいは一事業所当たりでも、年間に換算すると相当なエネルギーの節約により、大きな冷暖房コスト低減効果を得ることができる。また、本発明の空気循環用具が普及すればするほど、全国規模では計り知れない省エネルギー効果を実現することができ、地球温暖化対策にも多大なる貢献をすることができる。
【００１３】
本発明の扇風機取付け式空気循環用具はその排気用開口部を上方に向けて使用することにより、暖房機、冷房機いずれの場合であっても、室内下層部の冷気を室内上層部に強制的に送り込んで、上下方向の温度差解消に関し顕著な効果を得ることができる。特許文献１のような従来の空気循環装置における、室内下層部の空気をファンによって吸引し上方へ向かって排気する方式では、形成される気流は気流断面が拡大して気流が横方向に拡散してしまい、目的空間たる室内上層部への下層部空気の送り込み効果は減衰してしまうが、本発明によれば、送風の拡散の現象は相当軽減される。そして、室内下層部に存在する冷気を、上層部に存在する暖気方向に対して、あるいはその上方に対して強制的に大量に送り込むことができ、冷気の重さを利用して暖気を自然に、むら無く、降り注ぐように下層部（床方向）に対して降下させることができ、効果的な空気循環、温度差解消効果が得られる。
【００１４】
また本発明用具によれば、上述のように自然な暖気の降下がなされるために、特許文献１のような撹拌式や、あるいは対流式の空気循環装置のように、人体に不用意に風が当たって不快な思いをするということもない。
【００１５】
一方これに限定されず、排気用開口部を側方に向けて使用することで、室内の横方向の温度差解消効果を得ることもできる。また、たとえば扇風機が室内上方に設置されている場合、かかる扇風機に排気用開口部を下方に向けて取り付けて用い、上層部の暖気を下層部に強制的に送り込んで、上下方向の温度差解消効果を得ることもできる。
【発明を実施するための最良の形態】
【００１６】
以下、本発明を図面により詳細に説明する。
図１Ａ〜１Ｅは、本発明の扇風機取付け式空気循環用具について、各種構成例を示す断面図である。
図１Ａおよびその他の図に示すように、本扇風機取付け式空気循環用具１Ａは、扇風機Ｆの送風部に取り付けて用いる室内空気を循環させるためのものであって、扇風機Ｆから送風される空気を通すための取付け側開口部２Ａと、通された空気を吹き出すための一または複数の排気用開口部４Ａとを備えたカバー状の本体３Ａに、本体３Ａを扇風機Ｆに取り付けるための取付け部５Ａが設けられており、排気用開口部４Ａの断面積は取付け側開口部２Ａの断面積よりも小さく形成されていることを、特徴的な構成とする（他の各図でも同様だが、説明には図１Ａに係る符号を主として用いる）。本図を始め各図では、排気用開口部４Ａは一箇所のみが設けられ又は表されているが、上述のようにこれは、二以上設けることもできる。
【００１７】
かかる構成により、本用具１Ａを取付け部５Ａをもって扇風機Ｆに着脱自在に取り付け、この状態で扇風機を作動させると、扇風機による送風は前方になされて取付け側開口部２Ａにより通され、本体３Ａによってその広角への拡散が防止ないしは抑制された状態にて、より断面積の小さい開口部である排気用開口部４Ａから吹き出される。断面積の広狭差によって、排気用開口部４Ａから吹き出される空気は、元の送風よりも風圧が高められ、しかも広角への送風の拡散が防止ないしは抑制された状態で吹き出されるため、扇風機Ｆ位置から離れたある一定の方向への集中的な送風を実現することができる。
【００１８】
つまり、本発明扇風機取付け式空気循環用具１Ａを取り付けた扇風機Ｆ周辺の空気は、扇風機Ｆの裏側から吸い込まれて送風となり、上述した本用具１Ａの作用によって風圧が高まりかつ広角への拡散が防止ないしは抑制された集中的な気流として排気用開口部４Ａから吹き出され、該気流の送られる先の空間にある空気に向かって集中的に送風され、そこに従来から存在する空気をその空間から排除して室内を循環させ、かかる空気循環によって扇風機周辺空気と気流送風先の空気との間の混合もなされていき、両者に温度差があった場合はその温度差も解消していく。なお、前記複数の排気用開口部を設けた場合は、その送風方向を異なる方向としてもよいし、同一としてもよい。
【００１９】
本発明空気循環用具１Ａの使用方法は決して一様ではないが、特に後述するように、室内の上層−下層間における温度差の解消について大いに効果がある。上述の特許文献１のような従来の空気循環装置における、室内下層部の空気をファンによって吸引し上方へ向かって排気する方式、いわば撹拌方式では、形成される気流は気流断面が拡散してしまい、目的空間たる室内上層部への下層部空気の送り込み効果は減衰してしまう。
【００２０】
しかし本発明用具１Ａによれば、取付け側開口部２Ａと排気用開口部４Ａの開口部断面積には広狭差があるため、従来技術のように送風が拡散される現象は防止ないしは抑制される。そして、室内下層部に存在するより冷たく重い空気（冷気）を、上層部に存在するより温かく軽い空気（暖気）に対して、あるいはさらにその上方に対して強制的に大量に送り込むことができる。それにより、冷気の重さを利用して暖気を自然に、むら無く、降り注ぐように下層部（床方向）に対して降下させることができる。
【００２１】
図１Ａに示すように、本発明の空気循環用具１Ａは、排気用開口部４Ａの開口面と取付け側開口部２Ａの開口面を、それぞれの軸４Ａａｘ、２Ａａｘの方向が同じくなるように形成してもよい。また、図１Ｂに示す本用具１Ｂのように、排気用開口部４Ｂの開口面と取付け側開口部２Ｂの開口面それぞれの重心における軸が同一、つまり同軸上となるように形成してもよい。これらのような構成をとる場合、本扇風機取付け式空気循環用具により吹き出される送風の方向は、扇風機による元の送風の軸方向と概ね同一であり、その広角への拡散が防止ないしは抑制される。かかる構成を備えた実施例は、実施例４として後述する。
【００２２】
図１Ｃに示す本用具１Ｃのように、排気用開口部４Ｃの開口面と取付け側開口部２Ｃの開口面を、それぞれの軸４Ｃａｘ、２ｃａｘの方向が異なるように形成してもよい。この場合は、本扇風機取付け式空気循環用具により吹き出される送風の方向は、扇風機による元の送風の軸方向とは異なる方向となり、その広角への拡散が防止ないしは抑制されるとともに、送風の方向を変えることができる。
【００２３】
図１Ｃに示すように本発明扇風機取付け式空気循環用具１Ｃは、その本体３Ｃを、取付け側開口部２Ｃにより通された扇風機から送風される空気を受け止め、これにより方向が変わった気流が排気用開口部４Ｃから吹き出されるように形成する構成とすることができる。かかる構成を備えた実施例は、実施例１、２および３として後述する。
【００２４】
図１Ｄに示すように、本発明扇風機取付け式空気循環用具１Ｄは、その断面形状を前出各図のように取付け側開口部開口面の軸に対して概略線対称とせずに、非対称形としてもよい。
【００２５】
図１Ｅに示すように、本発明扇風機取付け式空気循環用具１Ｅは、本体３Ｅの取付け側端部全体が枠状体として取付け側開口部２Ｅを形成しており、排気用開口部４Ｅは単一であってその一部が枠体（２Ｅ）と接した状態で形成された構成としてもよい。
【実施例】
【００２６】
次に、本発明実施例について説明する。
図１Ｆは、本発明実施例１の扇風機取付け式空気循環用具の基本的な構成を示す断面視の模式図である。図示するように本扇風機取付け式空気循環用具１は、扇風機の送風部に取り付けて用いる室内空気を循環させるためのものであって、扇風機からの送風（気流Ｖ）を通すための取付け側開口部２が設けられて取付け側開口部２により通された送風（気流Ｖ）を受け止める受風本体３に、ここで受け止められて方向が変わった気流Ｗを吹き出すための所定の開口部面積を有する排気用開口部４が設けられ、さらに受風本体３にはこれを扇風機に取り付けるための取付け部５が設けられていることを、主たる構成とする。つまり、図示するように本空気循環用具１の基本的構成は、取付け側開口部２と排気用開口部４とを備えたカバー様の受風本体３であるといえる。
【００２７】
かかる構成による本扇風機取付け式空気循環用具１の作用を説明する。扇風機取付け式空気循環用具１は取付け部５によって扇風機（図示せず）の羽根カバー等に着脱自在に取り付けられる。この状態で扇風機を作動させると、扇風機による送風（気流Ｖ）は前方になされて取付け側開口部２により通され、受風本体３によって受け止められ、ここでその方向が変えられて気流Ｗとなり、排気用開口部４から吹き出される。
【００２８】
本発明扇風機取付け式空気循環用具１を取り付けた扇風機周辺の空気は、扇風機の裏側から吸い込まれて送風（気流Ｖ）となり、上述した本用具１の作用によって方向の変化した気流Ｗとして排気用開口部４から吹き出され、該気流Ｗの送られる先の空間にある空気をその空間から排除して室内を循環させ、かかる空気循環によって扇風機周辺空気と気流Ｗ送風先の空気との間の混合もなされていき、両者に温度差があった場合はその温度差も解消していく。
【００２９】
本発明空気循環用具１の使用方法としては、特に後述するように、室内の上層−下層間における温度差の解消について大いに効果がある。上述の特許文献１のような従来の空気循環装置における、室内下層部の空気をファンによって吸引し上方へ向かって排気する方式、いわば撹拌方式では、形成される気流は気流断面が拡散してしまい、目的空間たる室内上層部への下層部空気の送り込み効果は減衰してしまう。
【００３０】
しかし本発明用具１によれば、扇風機のファンにより起こされた送風を受風本体３で一旦受け止め、送風自体の方向を変化させて所定の排気用開口部４から吹き出させる過程を経るため、従来技術のように送風が拡散される現象は相当軽減される。そして、室内下層部に存在するより冷たく重い空気（冷気）を、上層部に存在するより温かく軽い空気（暖気）に対して、あるいはさらにその上方に対して強制的に大量に送り込むことができる。それにより、冷気の重さを利用して暖気を自然に、むら無く、降り注ぐように下層部（床方向）に対して降下させることができる。
【００３１】
本用具１は、排気用開口部４の断面積を取付け側開口部２の断面積よりも小さく形成するものであることは、上述の通りである。このようにすれば、扇風機からの送風（気流Ｖ）の導入口よりも方向の変更された気流Ｗの吹き出し口の方が狭くなり、それにより、本用具１の取付けによって形成される内部空間、すなわち受風本体３と扇風機との間の空間では内圧が高まって、吹き出し速度が高くなり、気流Ｗはより強力に吹き出され、到達距離をより伸ばすことができる。したがって、目的空間に対してより充分に扇風機周辺空気を送り込むことが可能となり、上述の空気循環作用およびそれに基づく室内空気の温度差解消効果は一層強まる。
【００３２】
本発明において、排気用開口部４の断面積を、取付け側開口部２の断面積に対してどの程度の大きさに狭くするかは、特に限定されない。たとえば、後者を前者の約半分程度にした本発明用具１は、適度に風圧を高めることができ、良好な排気、気流Ｗの送り込みが可能である。
【００３３】
このように排気用開口部４の断面積を取付け側開口部２の断面積よりも小さく形成する、つまり狭くすることによって、吹き出す気流Ｗを強くすることができるため、扇風機の送風を弱くすることも可能となり、電力使用の節約および騒音発生低減の各効果を得ることもできる。
【００３４】
本発明において、取付け側開口部２の開口部面積の如何は特に限定されるものではないが、扇風機による送風Ｖを最大限利用すべく、本用具１の取付け側端部全体を外枠で構成するものとすることができ、かつ、そうすることがより望ましい。また、同様の目的で取付け側開口部２は、扇風機前面全体を覆い得る大きさで形成されたものとすることができる。
【００３５】
受風本体３は、扇風機からの送風（気流Ｖ）に対していわば遮蔽的に機能するカバー様のものであり、限定された所定の断面積を有する排気用開口部４のみから、目的空間へと形成された気流Ｗを送り込むべく排出するものであるため、従来の空気循環装置における撹拌方式とは異なり、人体や周囲に置かれた物品等にいたずらに風が当たったりするなどの送風の不要な拡散が生じることがなく、不快感を生じることなく使用することができる。
【００３６】
受風本体３の断面形状も特に限定されず、扇風機（羽根カバー）への取り付けが、その形状との関係で容易かつ確実にできるものであること、また扇風機からの送風（気流Ｖ）を受け止めてその方向を問題なく変化させられるものであることを満たせばよい。図のように、扇風機羽根カバーの断面形状をカバーする形状もしくは扇風機羽根カバーの断面形状に適合する形状であり、かつ気流Ｖの方向に対して傾斜した状態で形成される受風本体３は、本発明の目的とする作用に充分に合致し、好適に用いることができる。
【００３７】
ここで、排気用開口部４の開口部面積や形状は特に限定されるものではなく、気流Ｗが円滑に排気される仕様であればよい。たとえば排気用開口部４は、図示するように取付け側開口部２に対して一定の傾斜をなして形成されたものとすることができる。
【００３８】
取付け部５は、たとえば扇風機羽根カバーの枠部に着脱自在に係止固定可能な取付け具とするなど適宜の構造とすることができる。
【００３９】
また、本用具１（受風本体３）の材料は特に限定されず、扇風機によりなされる送風の風圧によっても容易に変形したり破損したりしない程度以上の硬さを有するものであれば、合成樹脂製、金属製その他適宜のものを用いることができる。
【００４０】
図２−１は、本発明実施例２の使用例を示す側面視の説明図である。また、
図２−２は、実施例２の斜視図、
図２−３は、実施例２の正面図である。図２−１に示されるように本用具２１は、図示しない取付け部によって扇風機Ｆ（の羽根カバーＦＣ）に対して取り付けて、用いられる。扇風機の作動により生じた風は本用具２１の広い取付け側開口部２２をそのまま通って前方にある受風本体２３の壁に当たり、排気用開口部２４に向かって方向が変化されて、排気用開口部２４からその開口端面が向かっている方向に向かって送り出される。
【００４１】
図２−１等に示される実施例２を用いて、本発明の使用例を説明する。
冬季など室内での暖房機使用時においては、床の上に置いた扇風機に本発明の扇風機取付け式空気循環用具を排気用開口部が上方を向くようにして取付け、扇風機を作動させて床面付近の冷気を扇風機に吸引させ、これを本用具の排気用開口部から吹き出させて、室内上方に送り込む。冷気は天井付近の比重の軽い暖気層の上に強制的に送り込むことができるため、比重の重い冷気が暖気とエネルギー交換をしながら自重で静かに降下することを最大に利用し、無理なく床面層と天井層の空気の温度差を均一化させていくことができる。これにより無駄に暖房設定温度を高くする必要もなく、不快な温度差を是正することができ、エネルギーの大幅な節約も可能となる。具体的には、室内の温度差を確実に４〜６℃程度、もしくはそれ以上解消することができる。また、従来の対流式の空気循環装置では人体に直接風が当たって不快な思いをすることがあるが、本発明によれば、そのようなこともない。
【００４２】
さらに、本発明の扇風機取付け式空気循環用具を取り付けた扇風機を室内の角部に設置し、右４５°、左４５°等水平方向に首振り動作させることにより、床面の冷気が室内全体の天井面に行き渡り、室内全体に暖気が降下することとなり、室内の温度差を、さらに効率良く均一化することができる。
【００４３】
夏季など冷房機使用時においては、吹き出し口直下など冷気の溜まりやすい場所に本発明の扇風機取付け式空気循環用具を装着した扇風機を置き、首振り動作をさせることにより、床面の冷気を室内全体に拡散させることができる。これにより無駄に冷房設定温度を低くする必要もなく、不快な温度差を是正することができ、エネルギーの大幅な節約も可能となる。具体的には、室内の温度差を確実に４〜６℃程度、もしくはそれ以上解消することができる。
【００４４】
このように本発明は、一般家庭であれば少なくとも１台以上は常備されているほど社会全体に普及している扇風機を利用し、これに簡単に取り付けることができて、かつ室内の温度差を効果的に解消できる用具であり、さらに構造も簡易であり安価に市場に提供可能なものである。そして冬季、夏季を問わず、室内全体の床面冷気層と天井暖気層の温度差を均一化して快適な室内環境を実現することができ、併せてガス、灯油、電気等のエネルギー資源の浪費を大幅に抑制でき、省エネルギー効果を実現することができる。
【００４５】
なお、本発明の空気循環用具を用いず扇風機の送風方向を上向きにするのみでは、本発明の効果は得られない。
図２−４Ａは、本発明空気循環用具を用いた場合の空気の流れを示す説明図である。また、
図２−４Ｂは、本発明空気循環用具を用いずに扇風機の送風方向を上向きにしたのみの場合の空気の流れを示す説明図である。
【００４６】
これらの図の比較によって明らかなように、通常の扇風機２Ｆを用いてその送風方向を最大限上向きにしようとしても、その角度には限界がある。したがって、いかに天井ＣＬに向けて送風しようとしても、天井ＣＬにおいて送風ＶＢ１が到達し得る領域は極めて限定されてしまい、送風ＶＢ１が到達できない領域すなわち死角領域ＤＺｂが相当大きく発生する。しかも、天井ＣＬに到達できた送風ＶＢ１もその風向は送風方向の水平成分により決まり、発生した死角方向へ向かうことはない。したがって、死角領域ＤＺｂの暖気に影響を与えることができず、天井層の暖気を降下させる効果は極めて限定的なものとなってしまう。
【００４７】
この場合、扇風機２Ｆの風力調節を強くして送風速度を大きくすることによって多少なりとも暖気を降下させる効果を上げようとすれば、それだけエネルギーを余分に使用することになる他、強風の発生やそれによって人体に当たる風の強さは、使用者の不快感を高めることになり、望ましくない。さらに、扇風機２Ｆの送風方向は、本発明用具２１Ａを使用する場合と比較すると拡散されるため、期待する効果の低さはなおさらである。
【００４８】
一方、本発明の空気循環用具２１Ａを扇風機２Ｆに取り付けて用いれば、このような問題がなく、上述した各作用・効果が得られる。つまり、特に扇風機２Ｆ自体の風力調節を強くして送風速度を上げなくても、調節が「弱」のままでも、扇風機２Ｆからの方向が変わった気流（送風）ＷＡ１を、天井ＣＬの死角領域ＤＺａをほとんど発生させることなく天井ＣＬに到達させることができる。特に室内の隅部に扇風機２Ｆを置き、これに本発明用具２１Ａを取り付けて使用する場合、死角領域ＤＺａはほとんど発生しない。扇風機２Ｆからの送風は本発明用具２１Ａによって方向が変わった気流ＷＡ１となり、天井ＣＬ付近の天井層にて気流ＷＡ２に示されるように天井層のほとんど全領域に送り込まれた空気（冷気）は進み広がる。
【００４９】
つまり、天井層に存在するより温かく軽い空気（暖気）に対して、あるいはさらにその上方に対して強制的に大量に送り込むことができる。それにより、図中気流ＷＡ３に示すように、冷気の重さを利用して暖気を自然に、むら無く、降り注ぐように下層部（床ＦＬ方向）に対して降下させることができる。したがって、天井層のほとんど全領域の暖気に対して本発明の効果を及ぼすことができるものであり、単に扇風機２Ｆを上向きにしただけでは到底得られない、空気循環作用を得ることができる。もちろん、扇風機２Ｆからの風が直接使用者に当たって不快感を覚えるということもない。
【００５０】
図３は、本発明の実施例３を示す側面視の模式図である。図示するように本用具３１は、その取付け部の構造を、扇風機羽根カバーを被覆可能でありかつ扇風機のファンによる吸気には支障のない取付けカバー３５としてもよい。取付けカバー３５の取付け固定は、たとえば、適宜の係止用具３６あるいは締着用具、緊縛用具等を用いる等して行うことができる。
【００５１】
図４−１は、本発明実施例４の構成を示す斜視図および平面図である。また、
図４−２は実施例４の使用例を示す斜視図である。本実施例は、図１Ｂを用いて説明した本発明に係るものである。図示するように本例は、側面視形状が概略台形状の簡素な構造である。
【００５２】
本実施例は、図４−２に示すように、上向きに送風する形式の扇風機４Ｆや、真上方向に送風軸を向けることの可能な扇風機に取り付けて、送風を拡散させずにかつ風圧を高めて上方に強く送り込む用途に適している。
【００５３】
図５−１は、本発明扇風機取付け式空気循環用具の取付け部の実施例を示す斜め側方からの説明図である。また、
図５−２は、図５−１に示す実施例の正面視の説明図である。これらに示すように簡易かつ確実な取付けの可能な取付け部５５として、扇風機の羽根カバーに係止可能な爪状構造の取付け具を取付け側開口部５２に適宜数設けるものとすることができる。
【００５４】
図６は、本発明扇風機取付け式空気循環用具の取付け部の別の実施例を示す正面視の説明図である。図示するように、取付け部６５として、扇風機の羽根カバーに、固定用結束帯（図示せず）を用いて係止可能な、該固定用結束帯を通すことのできる孔部を本体（受風本体）６３に適宜数設けるものとすることができる。なお、本発明空気循環用具の取付け部の構造は、図５−１、図６等で示した例に限定されるものではない。
【産業上の利用可能性】
【００５５】
以上説明した本発明の扇風機取付け式空気循環用具によれば、簡易な構成によって、家庭その他室内において冷暖房機器使用時に発生する室内の温度差の解消と、省エネルギーを容易に実現することができる。空気循環装置として提供されるのではなく、広く普及している扇風機に取り付けて用いることができ、また簡易な構造によって実用性の高い効果を得ることができ、製造も容易であり、また安価に市場に提供することもできるため、産業上利用価値が高い発明である。
【図面の簡単な説明】
【００５６】
【図１Ａ】本発明の扇風機取付け式空気循環用具について、各種構成例の一を示す断面図である。
【図１Ｂ】本発明の扇風機取付け式空気循環用具について、各種構成例の一を示す断面図である。
【図１Ｃ】本発明の扇風機取付け式空気循環用具について、各種構成例の一を示す断面図である。
【図１Ｄ】本発明の扇風機取付け式空気循環用具について、各種構成例の一を示す断面図である。
【図１Ｅ】本発明の扇風機取付け式空気循環用具について、各種構成例の一を示す断面図である。
【図１Ｆ】本発明実施例１の扇風機取付け式空気循環用具の基本的な構成を示す断面視の模式図である。
【図２−１】本発明実施例２の使用例を示す側面視の説明図である。
【図２−２】実施例２の斜視図である。
【図２−３】実施例２の正面図である。
【００５７】
【図２−４Ａ】本発明空気循環用具を用いた場合の空気の流れを示す説明図である。
【図２−４Ｂ】本発明空気循環用具を用いずに扇風機の送風方向を上向きにしたのみの場合の空気の流れを示す説明図である。
【図３】本発明実施例３の構成を示す側面視の模式図である。
【図４−１】本発明実施例４の構成を示す斜視図および平面図である。
【図４−２】実施例４の使用例を示す斜視図である。
【図５−１】本発明扇風機取付け式空気循環用具の取付け部の実施例を示す斜め側方からの説明図である。
【図５−２】図５−１に示す実施例の正面視の説明図である。
【図６】本発明扇風機取付け式空気循環用具の取付け部の別の実施例を示す正面視の説明図である。
【符号の説明】
【００５８】
１Ａ、１Ｂ、１Ｃ、１Ｄ、１Ｅ…扇風機取付け式空気循環用具
２Ａ、２Ｂ、２Ｃ、２Ｄ、２Ｅ…取付け側開口部
３Ａ、３Ｂ、３Ｃ、３Ｄ、３Ｅ…本体
４Ａ、４Ｂ、４Ｃ、４Ｄ、４Ｅ…排気用開口部
５Ａ、５Ｂ、５Ｃ、５Ｄ、５Ｅ…取付け部
２Ａａｘ、２Ｃａｘ、２Ｄａｘ、４Ａａｘ、４Ｃａｘ、４Ｄａｘ…開口面の軸
ＣＬ…天井
ＤＺａ、ＤＺｂ…死角領域
Ｆ、２Ｆ、４Ｆ…扇風機
ＦＣ…扇風機の羽根カバー
ＦＬ…床
１、２１、２１Ａ、３１、４１、５１、６１…扇風機取付け式空気循環用具
２、２２、３２、４２、５２、６２…取付け側開口部
３、２３、３３、４３、５３、６３…受風本体
４、２４、３４、４４、５４、６４…排気用開口部
５、３５、５５、６５…取付け部
Ｖ…扇風機からの送風による気流
ＶＢ１、ＶＢ３…扇風機からの送風のみによる気流
Ｗ…本発明用具により方向が変わった気流
ＷＡ１、ＷＡ２、ＷＡ３…本発明用具を用いることによる気流
【図１Ａ】
2008057522.tif 000003
【図１Ｂ】
2008057522.tif 000004
【図１Ｃ】
2008057522.tif 000005
【図１Ｄ】
2008057522.tif 000006
【図１Ｅ】
2008057522.tif 000007
【図１Ｆ】
2008057522.tif 000008
【図２−１】
2008057522.tif 000009
【図２−２】
2008057522.tif 000010
【図２−３】
2008057522.tif 000011
【図３】
2008057522.tif 000012
【図４−１】
2008057522.tif 000013
【図４−２】
2008057522.tif 000014
【図５−１】
2008057522.tif 000015
【図５−２】
2008057522.tif 000016
【図６】
2008057522.tif 000017
【図２−４Ａ】
2008057522.tif 000018
【図２−４Ｂ】
2008057522.tif 000019